(57)【要約】      （修正有）【課題】模様・絵柄等のパターン又は文字が施された包装容器のキャップの製造するにあたり、成形工程が簡素化され、効率よく安価な方法を提供する。【解決手段】目薬容器などの包装容器のキャップ１０１に施す模様・絵柄等のパターン又は文字部１０２を形成する成形材料を射出すると共に、当該キャップ１０１の本体部を形成する成形材料を射出し、前記のキャップに施す模様・絵柄等のパターン又は文字部１０２を形成する成形材料と前記のキャップの本体部を形成する成形材料とを異なった色彩の成形材料とし、キャップ１０１に施す模様・絵柄等のパターン又は文字部１０２を一次成形し、次いで、当該キャップの本体部１０５を二次成形する。【選択図】図１
2006082310.tif 000002
【特許請求の範囲】
【請求項１】
目薬容器などの包装容器のキャップの製造方法であって、当該キャップに施す模様・絵柄等のパターン又は文字部を形成する成形材料を射出すると共に、当該キャップの本体部を形成する成形材料を射出し、前記のキャップに施す模様・絵柄等のパターン又は文字部を形成する成形材料と前記のキャップの本体部を形成する成形材料とを異なった色彩の成形材料としたことを特徴とする多色成形による模様・絵柄等のパターン又は文字が施された包装容器のキャップの製造方法。
【請求項２】
キャップに施す模様・絵柄等のパターン又は文字部を一次成形し、次いで、当該キャップの本体部を二次成形することを特徴とする、請求項１に記載のキャップの製造方法。
【請求項３】
模様・絵柄等のパターン又は文字部を形成する成形材料と当該成形材料とは異なった色彩の本体部を形成する成形材料とをそれぞれ射出して、側面に模様・絵柄等のパターン又は文字が施された多色成形による包装容器のキャップ。
【発明の詳細な説明】
【技術分野】
【０００１】
本発明は、多色成形による模様・絵柄等のパターン又は文字が施された包装容器のキャップの製造方法及び当該キャップに関し、特に、その垂直側面に模様・絵柄等のパターン又は文字が施された目薬容器のキャップに関するものである。
【背景技術】
【０００２】
包装容器のキャップ、例えば、飲料水の容器キャップには、その外天面に、当該飲料水のメーカ名や模様等が描かれていることがあるが、その垂直な側面には、模様などが描かれていることは少ない。
当該模様などは、成形品のキャップの成形後に、各種の二次加工の方法により施すことは可能である。例えば、銅、銅合金、亜鉛合金などで作られた原版を加熱し、プラスチック製品との間に金属箔を挟んで加圧し、凸部に接触した部分のみが熱して、プラスチック製品に接着させ、その後に当該箔をはがすと、所望の文字や模様が成形品に残るというホットスタンピング法により可能である。しかし、当該ホットスタンピング法は、原版や金属箔の用意などが必要で、また、成形品のキャップの成形後に原版の加熱や金属箔を挟んでの加圧や当該箔の剥離などの工程を要し、煩雑であるなどの問題がある。
又、スプレーガンによる吹きつけ塗装等による塗装方法でも可能であるが、飛び散った塗料の回収とか、塗装工程でゴミが付着するとか、ポリエチレン・ポリプロピレン・ポリアセタールなどでは密着性が悪いので表面処理をして塗装することが必要である等の問題がある。
更には、シルクスクリーン印刷等の方法による印刷でも可能であるが、印刷工程でゴミが付着するとか、揮発性有機物の排出があるなどの問題がある。
これらホットスタンピング・塗装・印刷の他にも、接着・めっき・蒸着、高周波溶着等の各種の二次加工の方法があるが、いずれにしても、成形品のキャップの成形後に更に加えて二次加工を施すので、工程数が掛かり、又、包装容器のキャップの垂直な側面には、通常、廻り止め用の凹凸が施されているので模様などを後加工では施し難い等という問題がある。
一方、成形と塗装を同じ金型内で行う金型内塗装（インプレスト成形）法や金型内にインサート品を装填した後樹脂を注入してインサート品を溶融樹脂で包んで固化させ一体化した複合部品を作るインサート成形などの方法もあるが、当該インプレスト成形機やインサート成形機（射出成形機とロボット、インサート部品整列装置などを組み合わせたシステム）は高価に尽くなどの問題があり、勢い、製品も高価になってしまうなどの欠点があり、又、当該インプレスト成形やインサート成形などでは、包装容器のキャップの垂直な側面に模様などを施し難い等という問題がある。
【発明の開示】
【発明が解決しようとする課題】
【０００３】
本発明は、上記従来技術の有する欠点を解消することの出来る技術を提供することを目的としたものである。
本発明の他の目的や新規な特徴については本件明細書及び図面の記載からも明らかになるであろう。
【課題を解決するための手段】
【０００４】
本発明の特許請求の範囲は、次の通りである。
（請求項１）目薬容器などの包装容器のキャップの製造方法であって、当該キャップに施す模様・絵柄等のパターン又は文字部を形成する成形材料を射出すると共に、当該キャップの本体部を形成する成形材料を射出し、前記のキャップに施す模様・絵柄等のパターン又は文字部を形成する成形材料と前記のキャップの本体部を形成する成形材料とを異なった色彩の成形材料としたことを特徴とする多色成形による模様・絵柄等のパターン又は文字が施された包装容器のキャップの製造方法。
（請求項２）キャップに施す模様・絵柄等のパターン又は文字部を一次成形し、次いで、当該キャップの本体部を二次成形することを特徴とする、請求項１に記載のキャップの製造方法。
（請求項３）模様・絵柄等のパターン又は文字部を形成する成形材料と当該成形材料とは異なった色彩の本体部を形成する成形材料とをそれぞれ射出して、側面に模様・絵柄等のパターン又は文字が施された多色成形による包装容器のキャップ
【発明の効果】
【０００５】
本発明によれば、多色成形、特に、２色成形により、目薬容器などの包装容器のキャップの成形と同時にキャップに模様・絵柄等のパターン又は文字部を形成できるので、従来例のように成形品のキャップの成形後にホットスタンピング・塗装・印刷等の各種の二次加工の方法を施す必要がなく、従って、成形工程が簡素化され、又、従来例のように、印刷工程や塗装工程でゴミが付着して印刷や塗装の効率を悪くすることはなく、又、印刷工程や塗装工程での揮発性有機物の排出がなく、更には、多色の射出装置を備えた多色成形機が使用できるので、安価にできる。
又、例えば、模様・絵柄等のパターン又は文字部を一次形成により成形しておき、次いで、当該キャップの本体部を二次成形するような方法を採用することにより、廻り止めの凹凸があり模様などを施し難い包装容器のキャップの垂直な側面に模様・絵柄等のパターン又は文字部を形成できる。
【発明を実施するための最良の形態】
【０００６】
図４に基づいて２色成形の一例について説明する。一般に、２色成形は、２色または２種類の樹脂から成る一体の製品を作る成形法をいい、その成形には、２組の射出装置を備えた専用機（２色成形機）を使用することができる。
当該２色成形は、例えば、図４に示すように、先ず、第一シリンダのノズル（第１ゲート）４０１から一色（一材）目の成形材料を射出して、一色（一材）目の成形品（一次成形品）４０２を成形し、一度型開きをして、一次成形品４０２を固定型（コア）４０３側に付着させたまま、金型回転盤を１８０゜回転させて回転型４０４をパーテイングライン４０５にて閉じ、第二シリンダのノズル（第２ゲート）４０６から二色（二材）目の成形材料を射出して、二色（二材）目の成形品（二次成形品）４０７を成形し、再び型開きを行い、成形品４０７を金型から取出して、二色成形品４０７を得ることができる。
なお、このプロセスでは、一次成形用金型と二次成形用金型の二組の金型を使用し、実際の操作では、二組の射出装置がほぼ同時に作動し、半回転ごとに１ショットの成形品が得られる。この他の方法としては、二組の金型を垂直軸のまわりに背中合わせに取付けて、垂直軸を中心にして半回転させる方法や一組の金型内に一次成形用と二次成形用のキャビティ、コアのセットを設ける方法などがある。二色成形の方法をさらに展開して、シリンダを増やせば数色の成形（多色成形）を行うこともできる。
【０００７】
上記図４の実施例は、横型の２色成形機による成形で、次に、上型および下型による縦型の２色成形機による成形について、図５に基づいて説明する。
図５に示すように、射出ユニット５０１、５０２からスプール５０３、５０４を経て一色（一材）目および２色（二材）目の色彩の異なった成形材料をそれぞれ射出し、上型５０５および下型５０６の離反および会合を行って、一色（一材）目の成形品（一次成形品）および二色（二材）目の成形品（に次成形品）を成形する。
例えば、図５に示すように、先ず、射出ユニット５０１からスプール５０３を経て一色（一材）目の成形材料を射出して、一色（一材）目の成形品（一次成形品）を成形し、上型５０５および下型５０６の離反を行って型開きをし、一次成形品を上型（固定型、コア）５０５側に付着させたまま、下型５０６の移動などを行い、下型５０６をパーテイングラインにて閉じ会合を行い、射出ユニット５０２からスプール５０４を経て二色（二材）目の成形材料を射出して、二色（二材）目の成形品（二次成形品）を成形し、再び型開きを行い、成形品を金型から取出して、二色成形品を得ることができる。
【０００８】
図１に基づいて、本発明による模様・絵柄等のパターン又は文字が施された目薬キャップの成形について説明する。
図１（Ａ）に示すように、当該目薬容器のキャップ１０１の垂直な側面の右上部には、当該目薬容器の本体部の内部の目薬の薬液の滴（しずく）または涙をモチーフとした模様のパターン１０２が形成されている。当該模様のパターン１０２は、例えば、黄色の樹脂成形材料からなっている。
又、図１（Ａ）に示すように、当該目薬容器のキャップ１０１の下端部には、リング状のパターン１０３が周設されている。又、当該目薬容器のキャップ１０１の左端部には、当該リング状のパターン１０３に連設され上方向に伸びているパターン１０４が設けられている。尚、当該パターンは、上記様のパターン１０２のみであってもよい。。
当該リング状のパターン１０３および当該リング状のパターン１０３に連設され上方向に伸びているパターン１０４は、例えば、上記の模様のパターン１０２と同様に、例えば、黄色の樹脂成形材料からなっている。
一方、当該目薬容器のキャップ１０１の本体部１０５は、例えば、白色の樹脂成形材料からなっている。
前記の図４で説明のように、又、図１（Ｂ）で示すように、先ず、第一シリンダのノズル（第１ゲート）４０１から一色（一材）目の当該黄色の樹脂成形材料を射出して、一色（一材）目の模様のパターン１０２を成形する。
次いで、一度型開きをして、当該模様のパターン１０２の一次成形品を固定型（コア）４０３側に付着させたまま、金型回転盤を１８０゜回転させて回転型４０４をパーテイングライン４０５にて閉じ、図１（Ｃ）で示すように、第二シリンダのノズル（第２ゲート）４０６から当該目薬容器のキャップ１０１の本体部１０５を形成する白色の二色（二材）目の樹脂成形材料を当該模様のパターン１０２に隣接するキャビテイ（空間）に射出して、当該模様のパターン１０２と当該本体部１０５とが面一となった成形品（二次成形品）を成形し、再び型開きを行い、黄色の樹脂成形材料からなる模様のパターン１０２がキャップ１０１の白色の樹脂成形材料からなる本体部１０５の側面に形成された目薬容器のキャップを得ることができる。
上記に際して、上記の模様のパターン１０２の形成の際に、例えば、同じ黄色の樹脂成形材料を射出することにより、模様のパターン１０２に加えてリング状のパターン１０３および当該リング状のパターン１０３に連設され上方向に伸びているパターン１０４をも形成することができる。
【０００９】
図２および図３に示すように、当該目薬容器のキャップ１０１の本体部１０５には、凹凸の廻り止め部１０６が設けられているが、本発明では、当該凹凸の廻り止め部１０６が設けられていても、模様のパターン１０２やリング状のパターン１０３やパターン１０４を形成することができる。
【００１０】
図６は、目薬容器Ｍのキャップ１０１と目薬容器Ｍの本体部１０７との関係を示すと共に、当該目薬容器Ｍのキャップ１０１における一次成形の第１ゲート４０１の位置を示してある。
【００１１】
図７は、目薬容器Ｍのキャップ１０１の断面を示し、前記の図６にも示すように、当該キャップ１０１は、その内側で目薬容器Ｍの本体部１０７の上部と螺旋接合されるようになっている。
【００１２】
図８は、当該目薬容器Ｍの一例で、当該目薬容器Ｍのキャップ１０１の側面には、前記の黄色の樹脂成形材料からなる模様パターン１０２が施されている。又、当該目薬容器Ｍのキャップ１０１の下端部にはリング状のパターン１０３が周設されている。
【００１３】
図９は、同じく当該目薬容器Ｍの一例で、当該目薬容器Ｍの本体部１０７を、前記の図８に示す本体部１０７よりも小さく構成した例を示し、図８と同様に、キャップ１０１の側面には、前記の黄色の樹脂成形材料からなる模様パターン１０２が施されている。又、当該目薬容器Ｍのキャップ１０１の下端部にはリング状のパターン１０３が周設されている。
【００１４】
図１０は、飲料水の容器Ｐを例示したもので、当該飲料水容器Ｐのキャップ１０１の側面には、前記の黄色の樹脂成形材料からなる模様パターン１０２が施されている。
【００１５】
図１１は、歯磨き容器Ｄの一例で、当該歯磨き容器Ｄのキャップ１０１の側面には、前記の黄色の樹脂成形材料からなる模様パターン１０２が施されている。
【００１６】
本発明は、適宜変更が可能であり、例えば、前記実施例では、キャップに施す模様・絵柄等のパターン又は文字部を一次成形し、次いで、当該キャップの本体部を二次成形する例を示したが、これら一次形成および二次成形を逆にしてもよい。
又、前記実施例では、模様・絵柄等のパターンを形成する例を示したが、当該模様・絵柄等のパターンに代えて文字を形成するようにしてもよい。
【産業上の利用可能性】
【００１７】
本発明は、各種の包装容器のキャップ全般に適用することができる。
【図面の簡単な説明】
【００１８】
【図１】（Ａ）本発明の実施例を示す目薬容器のキャップの正面図、（Ｂ）本発明の実施例を示す一次加工の断面、（Ｃ）本発明の実施例を示す二次加工の断面図である。
【図２】本発明の実施例を示す目薬容器の説明図である。
【図３】本発明の実施例を示す目薬容器のキャップの説明図である。
【図４】多色成形の一例説明図である。
【図５】多色成形の他の一例説明図である。
【図６】本発明の実施例を示す目薬容器のキャップと目薬容器の本体部との説明図である。
【図７】本発明の実施例を示す目薬容器のキャップの断面図である。
【図８】本発明の実施例を示す目薬容器の一例全体正面図である。
【図９】本発明の他の実施例を示す目薬容器の一例全体正面図である。
【図１０】本発明の実施例を示す飲料水容器の一例全体正面図である。
【図１１】本発明の実施例を示す歯磨き容器の一例全体正面図である。
【符号の説明】
【００１９】
１０１    キャップ
１０２    パターン
１０３    パターン
１０４    パターン
１０５    キャップの本体部
１０６    滑り止め部
１０７    目薬容器の本体部
【図１】
2006082310.tif 000003
【図２】
2006082310.tif 000004
【図３】
2006082310.tif 000005
【図４】
2006082310.tif 000006
【図５】
2006082310.tif 000007
【図６】
2006082310.tif 000008
【図７】
2006082310.tif 000009
【図８】
2006082310.tif 000010
【図９】
2006082310.tif 000011
【図１０】
2006082310.tif 000012
【図１１】
2006082310.tif 000013